(57)【要約】【課題】従来の容器展示用のＰＯＰ製品では、商品の陳列スペースとは別に専用のスペースが必要になることがあり、また、容器の取り付けや交換を行うのが煩わしいなどの不具合があった。【解決手段】所定の構造体Ｂに対して着脱可能な装着具１１と、上側から容器Ｃ１を通して同容器Ｃ１の側面を受ける環状体１２を備えた容器展示用ホルダＨ１とし、商品の陳列棚やボード等の既存の構造体Ｂに簡単に装着することができ、容器Ｃ１の取り付けや交換を容易に行うことができるものとした。【選択図】  図１
2007111147.tif 000002
【特許請求の範囲】
【請求項１】
容器を展示するためのホルダであって、所定の構造体に対して着脱可能な装着具と、上側から容器を通して同容器の側面を受ける環状体を備えたことを特徴とする容器展示用ホルダ。
【請求項２】
環状体が、弾性変形可能な材料から成ると共に、自由端部を有しており、当該環状体の直径を増大させる状態に弾性変形可能であることを特徴とする請求項１に記載の容器展示用ホルダ。
【請求項３】
環状体が、一端部を装着具への固定端部とし且つ他端部を自由端部としたベルトから成ると共に、装着具と自由端部の間に、互いに係合してベルトの長さを調整する長さ調整手段を備えたことを特徴とする請求項１に記載の容器展示用ホルダ。
【請求項４】
環状体が、半円形を成す一対の円弧部材から成ると共に、各円弧部材の一端部を装着具への固定端部とし且つ他端部を自由端部とし、装着具と各固定端部との間に、当該環状体の直径を増減する方向に円弧部材の回動位置を調整する回動調整手段を設けたことを特徴とする請求項１に記載の容器展示用ホルダ。
【請求項５】
装着具に対して環状体が角度調整可能に連結してあることを特徴とする請求項１〜４のいずれか１項に記載の容器展示用ホルダ。
【請求項６】
装着具に対して環状体が着脱可能に連結してあることを特徴とする請求項１〜５のいずれか１項に記載の容器展示用ホルダ。
【請求項７】
容器の底面を受ける支持部を備えていることを特徴とする請求項１〜６のいずれか１項に記載の容器展示用ホルダ。
【発明の詳細な説明】
【技術分野】
【０００１】
本発明は、容器を展示するためのホルダであって、とくに、ＰＯＰ製品として飲料やインスタント食品などの各種商品の容器を展示するのに用いる容器展示用ホルダに関するものである。
【背景技術】
【０００２】
一般に、商品やサービスの宣伝・広告を省スペースで行うことができ、しかも商品等を目立たせ、消費者の購買意欲を喚起するためのものとして、いわゆるＰＯＰ製品が種々開発されている。また、近年では、飲料やインスタント食品といった商品分野において、容器入りのものが非常に多く開発・販売されており、これらの商品を対象としたＰＯＰ製品としては、展示台に商品の容器を載置するようにしたものや、ボード類に商品の容器を直接固定するようにしたものがあった。
【発明の開示】
【発明が解決しようとする課題】
【０００３】
ところが、上記したような従来の容器展示用のＰＯＰ製品では、展示台を用いたものにあっては、商品の陳列スペースとは別に専用のスペースが必要になることがあり、また、ボード類に容器を直接固定するものにあっては、容器の取り付けや交換を行うのが煩わしいなどの不具合があることから、これらの不具合を解決することが要望されていた。
【０００４】
本発明は、上記従来の状況に鑑みて成されたもので、商品の陳列棚やボード等の既存の構造体に簡単に装着することができ、容器の取り付けや交換を容易に行うことができる容器ホルダを提供することを目的としている。
【課題を解決するための手段】
【０００５】
本発明の容器展示用ホルダは、商品の陳列棚やボード類等の所定の構造体において、商品の容器を展示するためのホルダであって、所定の構造体に対して着脱可能な装着具と、上側から容器を通して同容器の側面を受ける環状体を備えた構成としており、上記構成をもって従来の課題を解決するための手段としている。
【０００６】
なお、上記構成の場合、対象となる容器は、とくに、側面が下向きのテーパ面になっているものや、蓋等によって側面に下向きの段差を有するものが好適である。また、環状体は、その材質がとくに限定されるものではないが、容器を見やすく展示することを考慮すれば、透明なものや細い線状部材などがより好ましい。
【０００７】
さらに、本発明の容器展示用ホルダは、より好ましい実施形態として、環状体が、弾性変形可能な材料から成ると共に、自由端部を有しており、当該環状体の直径を増大させる状態に弾性変形可能であることを特徴とし、さらに、環状体が、一端部を装着具への固定端部とし且つ他端部を自由端部としたベルトから成ると共に、装着具と自由端部の間に、互いに係合してベルトの長さを調整する長さ調整手段を備えたことを特徴とし、さらに、環状体が、半円形を成す一対の円弧部材から成ると共に、各円弧部材の一端部を装着具への固定端部とし且つ他端部を自由端部とし、装着具と各固定端部との間に、当該環状体の直径を増減する方向に円弧部材の回動位置を調整する回動調整手段を設けたことを特徴としている。
【０００８】
さらに、本発明の容器展示用ホルダは、より好ましい実施形態として、装着具に対して環状体が角度調整可能に連結してあることを特徴とし、さらに、装着具に対して環状体が着脱可能に連結してあることを特徴とし、さらに、容器の底面を受ける支持部を備えていることを特徴としている。
【発明の効果】
【０００９】
本発明の容器展示用ホルダは、とくに、側面が下向きのテーパ面になっている容器や側面に下向きの段差を有する容器の展示に好適であって、構造体に装着具を装着して環状体の内側に容器を入れるだけで容器の展示状態が得られることとなり、商品の陳列棚やボード等の既存の構造体に対して簡単に装着することができ、容器の取り付けや交換を容易に行うことができる。
【００１０】
また、本発明の容器展示用ホルダは、自由端部を有する弾性変形可能な環状体を採用したことにより、常態における環状体よりも大きい外周寸法を有する容器にも対応することができる。
【００１１】
さらに、本発明の容器展示用ホルダは、長さ調整手段を有するベルトから成る環状体を採用したことにより、環状体の直径を変化させることで、容器の異なる外周寸法に対応することができる。
【００１２】
さらに、本発明の容器展示用ホルダは、環状体として、固定端部に回動調整手段を設けた一対の円弧部材を採用したことにより、両円弧部材の間隔を変化させることで、容器の異なる外周寸法に対応することができる。
【００１３】
さらに、本発明の容器展示用ホルダは、装着具に対して環状体を角度調整可能に連結したことにより、例えば当該ホルダの取り付け位置などに応じて、容器の展示姿勢を変化させることができ、容器すなわち商品のアピール性が向上する。
【００１４】
さらに、本発明の容器展示用ホルダは、装着具に対して環状体を着脱可能に連結したことにより、複数種の装着具と複数種の環状体とを組合せることで、様々な装着場所と様々な容器に対応し得るものとなる。
【００１５】
さらに、本発明の容器展示用ホルダは、容器の底面を受ける支持部を設けたことにより、側面がテーパ面等である容器だけでなく、それ以外の形態の容器であっても確実に保持することができる。
【実施例】
【００１６】
図１は、本発明に係わる容器展示用ホルダの一実施例を説明する図である。
【００１７】
図示の容器展示用ホルダＨ１は、所定の構造体Ｂに対して着脱可能な装着具１１と、上側から容器Ｃ１を通して同容器Ｃ１の側面を受ける環状体１２を備えている。この実施例の構造体Ｂは、垂直に立てた板状を成している。また、容器Ｃ１は、上端部を大径とし且つ下端部を小径とした概略円柱状を成し、側面が下向きのテーパ面になっている。
【００１８】
装着具１１は、弾性変形可能な合成樹脂製であって、板状の本体部１１ａの正面に、正面側に開口するボール受け１１ｂを有すると共に、本体部１１ａの上端に、その背面側に折り返した状態の掛止部１１ｃを一体的に有しており、構造体Ｂの上端部に装着する。
【００１９】
環状体１２は、同じく弾性変形可能な合成樹脂製であって、その円周部に、軸部１２ａを介して、装着具１１のボール受け１１ｂとともにボールジョイントを構成するボール１２ｂが設けてある。このボールジョイントは、ボール受け１１ｂとボール１２ｂとの間に適当な摩擦力を有するもので、その摩擦力により所定の回動位置に保つことができると共に、摩擦力を超える力により回動可能となる。
【００２０】
また、上記の環状体１２としては、図１（ａ）に示すように、無端である環状体１２Ａと、図１（ｂ）に示すように、ボール１２ｂと１８０度異なる位置に切れ目を設けて２つの自由端部１２ｃ，１２ｃを設けた環状体１２Ｂとがある。
【００２１】
さらに、装着具１１及び環状体１２は、容器Ｃ１を見やすく展示し得るように、少なくとも環状体１２が透明な材料で形成してある。そして、装着具１１のボール受け１１ｂと環状体１２のボール１２ｂとを嵌合することで互いに回動可能に連結され、この際、装着具１１に対して２つの環状体１２Ａ，１２Ｂを選択的に取り付けることができる。
【００２２】
上記の容器展示用ホルダＨ１は、構造体Ｂの上端部に装着具１１を掛けるだけで装着状態となり、商品の陳列棚の縁やボード類などの既存の構造体Ｂに対して簡単に装着することができると共に、環状体１２の内側に容器Ｃ１を入れるだけで同容器Ｃ１の展示状態を得ることができ、容器Ｃ１の交換も非常に容易である。
【００２３】
また、容器展示用ホルダＨ１は、装着具１１及び環状体１２が、いずれも合成樹脂製であるとともにボールジョイントで連結してあることから、構造体Ｂに装着した状態において、装着具１１に対して環状体１２が角度調整可能であると共に、装着具１１に対して環状体１２が着脱可能である。したがって、構造体Ｂに対する容器展示用ホルダＨ１の取り付け位置などに応じて、容器Ｃ１の展示姿勢を変化させることができ、また、容器Ｃ１の形態等に応じて環状体１２を交換することができる。
【００２４】
さらに、容器展示用ホルダＨ１は、弾性変形可能な合成樹脂製であるから、図１（ｂ）に示す如く自由端部１２ｃ，１２ｃを有する環状体１２Ｂを用いた場合には、その直径を増大させる状態に弾性変形させることが可能であり、これにより、常態における環状体１２Ｂよりも大きい外周寸法を有する容器Ｃ１にも対応し得るものとなる。
【００２５】
図２は、本発明に係わる容器展示用ホルダの他の実施例を説明する図である。なお、以下の各実施例において、先の実施例と同一の構成部位は、同一符号を付して詳細な説明を省略する。
【００２６】
図示の容器展示用ホルダＨ２は、装着具２１及び環状体２２を備えている。装着具２１は、本体部２１ａの正面に、連結用凹部２１ｂを有すると共に、本体部２１ａの上端に、背面側に折り返した掛止部２１ｃを有している。
【００２７】
環状体２２は、その円周部に、水平片２２ａと、水平片２２ａの端部から下方へ延出する垂直片２２ｂを一体的に有すると共に、垂直片２２ｂの背面に、装着具２１の連結用凹部２１ｂに嵌合する連結用凸部２２ｃを有している。また、環状体２２には、先の実施例と同様に、図２（ａ）に示す無端の環状体２２Ａと、図２（ｂ）に示す自由端部２２ｄ，２２ｄを有する環状体２２Ｂとがある。
【００２８】
上記の容器展示用ホルダＨ２にあっても、先の実施例と同様に、構造体Ｂへの装着が容易であると共に、容器Ｃ１の取り付け及び交換を簡単に行うことができる。
【００２９】
また、この実施例では、構造体Ｂが、装着具２１の連結用凹部２１ｂに相当するものを有している場合、環状体２２を容器展示用ホルダとして用いることができる。この場合には、水平片２２ａ、垂直片２２ｂ及び連結用凸部２２ｃが装着具に相当し、装着具と環状体を一体的に備えたものとなる。
【００３０】
図３は、本発明に係わる容器展示用ホルダのさらに他の実施例を説明する図である。
【００３１】
図示の容器展示用ホルダＨ３は、装着具３１及び環状体３２を備えている。装着具３１は、板状の本体部３１ａの正面に、上向きに湾曲した左右一対の連結用フック３１ｂを有すると共に、本体部３１ａの背面の上下端に、上向きの長鉤片３１ｃと下向きの短鉤片３１ｄを有している。
【００３２】
環状体３２は、その円周部に、下向きの鉤状連結部３２ａを有しており、鉤状連結部３２ａには、そのコーナー部分に、左右に突出する断面略楕円形状の連結用突部３２ｂを有している。このとき、連結用突部３２ｂは、その短径寸法が、装着具３１における本体部３１ａと連結用フック３１ｂの上部との隙間に対応する。また、環状体３２には、先の実施例と同様に、図３（ａ）に示す無端の環状体３２Ａと、図３（ｂ）に示す自由端部３２ｃ，３２ｃを有する環状体３２Ｂとがある。
【００３３】
ここで、この実施例の場合、構造体Ｂには開口部Ａが形成してある。開口部Ａは、装着具３２における本体部３１ａの横寸法に対応する横幅と、本体部３１ａの縦寸法と短鉤片３１ｄの突出寸法との和に相当する縦幅を有している。
【００３４】
上記の容器展示用ホルダＨ３は、装着具３１の連結用フック３１ｂに環状体３２の連結用突部３２ｂを係合して装着具３１と環状体３２を連結し、構造体Ｂの開口部Ａに装着具３１の長鉤片３１ｃと短鉤片３１ｄを通して、これらの片３１ｃ，３１ｄを構造体Ｂの背面に係止することにより、構造体Ｂに装着された状態となる。
【００３５】
そして、容器展示用ホルダＨ３は、環状体３２の鉤状連結部３２ａの背面３２ｄと、装着具３１の本体部３１ａの正面とを当接させて、構造体Ｂから環状体３２を張り出した状態にし、この状態で容器Ｃ１を保持する。また、不使用時には、環状体３２を上方に回動させて、構造体Ｂの正面に沿うように起立させておくことができ、また、この起立状態においては、環状体３２の連結用突部３２ｂを、装着具３１の連結用フック３１ｂの隙間から取り外すことができる。
【００３６】
図４は、本発明に係わる容器展示用ホルダのさらに他の実施例を説明する図である。
【００３７】
図示の容器展示用ホルダＨ４は、装着具４１と環状体４２とを一体的に備えている。装着具４１は、環状体４２に連続する水平片４１ａと、水平片４１ａの端部から下方に延出する垂直片４１ｂを有すると共に、垂直片４１ｂの背面上端に、下向きの鉤状装着部４１ｃを有している。環状体４２は、無端のものを例示したが、自由端部を有するものとすることもできる。
【００３８】
また、容器展示用ホルダＨ４は、容器Ｃ１の底面を受ける支持部４３を備えている。この支持部４３は、装着具４１と環状体４２との連続部分から下方に延出し且つその下端から環状体４２の下側に張り出したＬ形状を成している。
【００３９】
上記の容器展示用ホルダＨ４は、図４（ｂ）に示すように、構造体Ｂの開口部Ａに鉤状装着部４１ｃを係止することで同構造体Ｂに装着され、若しくは、図４（ｃ）に示すように、構造体Ｂの上端部に鉤状装着部４１ｃを係止することで同構造体Ｂに装着されて、容器Ｃ１を保持する。また、容器展示用ホルダＨ４は、支持部４３を備えていることから、側面がテーパ面である容器Ｃ１だけでなく、円柱状の容器Ｃ２であっても確実に保持することができる。
【００４０】
図５は、本発明に係わる容器展示用ホルダのさらに他の実施例を説明する図である。
【００４１】
図示の容器展示用ホルダＨ５は、装着具５１と環状体５２とを備えている。装着具５１は、板状の本体部５１ａの正面に、上方に開口した連結部５１ｂを有すると共に、本体部５１ａの上端に、背面側に折り返した状態の掛止部５１ｃを有している。
【００４２】
環状体５２は、細い金属線を円形に曲成したものであって、図５（ａ）に示すように、一端部を装着具５１の連結部５１ｂに固定し且つ他端部を自由端部５２ａとした環状体５２Ａと、図５（ｂ）に示すように、両端部を装着具５１の連結部５１ｂに固定した環状体５２Ｂとがある。
【００４３】
上記の容器展示用ホルダＨ５は、先の各実施例と同様に、構造体Ｂへの装着が容易であると共に、容器Ｃ１の取り付け及び交換を簡単に行うことができ、図５（ａ）に示す如く自由端部を有する環状体５２Ａを選択した場合には、常態における環状体５２Ａよりも大きい外周寸法を有する容器Ｃ１にも柔軟に対応することができ、また、環状体５２に細い金属線を用いているので、容器Ｃ１を見やすい状態に展示することができる。
【００４４】
図６は、本発明に係わる容器展示用ホルダのさらに他の実施例を説明する図である。
【００４５】
図示の容器展示用ホルダＨ６は、装着具６１と環状体６２とを一体的に備えている。装着具６１は、板状の本体部６１ａの正面に、正面側に突出した係合突起６１ｂを有すると共に、本体部６１ａの上端に、背面側に折り返した状態の掛止部６１ｃを有している。
【００４６】
環状体６２は、一端部を装着具６１への固定端部とし且つ他端部を自由端部としたベルトから成るものであって、装着具６１と自由端部の間に、互いに係合してベルトの長さを調整する長さ調整手段を備えている。この実施例の場合、環状体６２の自由端部側には、その長手方向に所定間隔で複数の係合穴６２ａが形成してあり、これらの係合穴６２ａと装着具６１の係合突起６１ｂとで長さ調整手段を構成している。
【００４７】
上記の容器展示用ホルダＨ６は、先の各実施例と同様に、構造体Ｂへの装着が容易であると共に、容器Ｃ１の取り付け及び交換を簡単に行うことができ、また、複数の係合穴６２ａのうちのいずれかを選択して係合突起６１ｂとの係合を行うことで、環状体６２の直径が変化し、容器Ｃ１の異なる外周寸法に対応することができる。
【００４８】
図７は、本発明に係わる容器展示用ホルダのさらに他の実施例を説明する図である。
【００４９】
図示の容器展示用ホルダＨ７は、装着具７１と環状体７２とを一体的に備えている。装着具７１は、板状の本体部７１ａの正面に、左右両側に開放された通し孔７１ｂを有すると共に、本体部７１ａの上端に、背面側に折り返した状態の掛止部７１ｃを有し、また、通し孔７１ｃの片側に、孔内部に向いたラチェット爪７１ｄを有している。通し孔７１ｂは、環状体７２の断面寸法に対応した開口寸法を有している。
【００５０】
環状体７２は、一端部を装着具７１への固定端部とし且つ他端部を自由端部としたベルトから成るものであって、装着具７１と自由端部の間に、互いに係合してベルトの長さを調整する長さ調整手段を備えている。この実施例の場合、環状体７２の自由端部の内側には、その長手方向に沿って多数のラチェット歯７２ａが形成してあり、このラチェット歯７２ａと、装着具７１の通し孔７１ｂ及びラチェット爪７１ｄとで長さ調整手段を構成している。
【００５１】
上記の容器展示用ホルダＨ７は、先の各実施例と同様に、構造体Ｂへの装着が容易であると共に、容器Ｃ１の取り付け及び交換を簡単に行うことができる。このとき、通し孔７１ｂ、ラチェット爪７１ｄ及びラチェット歯７２ａで構成した長さ調整手段は、通し孔７１ｃに環状体７２を差し込む方向の動作を許容すると共に、ラチェット爪７１ｄとラチェット歯７２ａとの係合により、環状体７２を抜き出す方向の動作を阻止し、ラチェット爪７１ｄを外側に起こすことにより、環状体７２の抜き出しを可能にする。そして、通し孔７１ｃに対する環状体７２の差し込み量を変えることで、環状体７２の直径が変化し、容器Ｃ１の異なる外周寸法に対応することができる。
【００５２】
図８は、本発明に係わる容器展示用ホルダのさらに他の実施例を説明する図である。
【００５３】
図示の容器展示用ホルダＨ８は、装着具８１と環状体８２とを一体的に備えている。装着具８１は、板状の本体部８１ａの正面に、左右両側に開放された通し溝８１ｂを有すると共に、本体部８１ａの上端に、背面側に折り返した状態の掛止部８１ｃを有している。通し溝８１ｃは、環状体８２の断面寸法に対応した内部寸法を有すると共に、通した環状体７２が内側に脱落しないように、環状体７２の幅よりも小さい開口幅を有している。
【００５４】
環状体８２は、一端部を装着具８１への固定端部とし且つ他端部を自由端部としたベルトから成るものであって、装着具８１と自由端部の間に、互いに係合してベルトの長さを調整する長さ調整手段を備えている。この実施例の場合、装着具８１の通し溝８１ｂが長さ調整手段に相当する。
【００５５】
上記の容器展示用ホルダＨ８は、先の各実施例と同様に、構造体Ｂへの装着が容易であると共に、容器Ｃ１の取り付け及び交換を簡単に行うことができる。このとき、長さ調整手段は、通し溝８１ｂと環状体８２との間に適当な摩擦力を有するもので、その摩擦力により環状体８２を所定の挿通位置に保つと共に、摩擦力を超える力により環状体８２が挿通可能となる。そして、通し溝８１ｃに対する環状体８２の挿通量を変えることで、環状体８２の直径が変化し、容器Ｃ１の異なる外周寸法に対応することができる。
【００５６】
図９は、本発明に係わる容器展示用ホルダのさらに他の実施例を説明する図である。
【００５７】
図示の容器展示用ホルダＨ９は、装着具９１と環状体９２とを一体的に備えている。装着具９１は、板状の本体部９１ａの正面に、左右両側に開放された通し孔９１ｂを有すると共に、本体部９１ａの上端に、背面側に折り返した状態の掛止部９１ｃを有し、また、通し孔９１ｃの片側の上下に、孔内部に向いた一対のラチェット爪９１ｄ，９１ｄを有している。通し孔９１ｂは、環状体９２の断面寸法に対応した開口寸法を有している。
【００５８】
環状体９２は、一端部を装着具９１への固定端部とし且つ他端部を自由端部としたベルトから成るものであって、装着具９１と自由端部の間に、互いに係合してベルトの長さを調整する長さ調整手段を備えている。この実施例の場合、環状体９２の自由端部の上下両側には、その長手方向に沿って多数のラチェット歯９２ａ，９２ａが形成してあり、これらのラチェット歯９２ａ，９２ａと、装着具９１の通し孔９１ｂ及びラチェット爪９１ｄ，９１ｄとで長さ調整手段を構成している。
【００５９】
上記の容器展示用ホルダＨ９は、先の各実施例と同様に、構造体Ｂへの装着が容易であると共に、容器Ｃ１の取り付け及び交換を簡単に行うことができる。このとき、通し孔９１ｂ、ラチェット爪９１ｄ及びラチェット歯９２ａで構成した長さ調整手段は、通し孔９１ｃに環状体９２を差し込む方向の動作を許容すると共に、ラチェット爪９１ｄとラチェット歯９２ａとの係合により、環状体９２を抜き出す方向の動作を阻止し、上下のラチェット爪９１ｄ，９１ｄを夫々上下に起こすことにより、環状体９２の抜き出しを可能にする。そして、通し孔９１ｃに対する環状体９２の差し込み量を変えることで、環状体９２の直径が変化し、容器Ｃ１の異なる外周寸法に対応することができる。
【００６０】
図１０は、本発明に係わる容器展示用ホルダのさらに他の実施例を説明する図である。
【００６１】
図示の容器展示用ホルダＨ１０は、装着具１０１と環状体１０２とを一体的に備えている。装着具１０１は、本体部１０１ａの正面の上部近傍に、環状体１０２に連続する水平片１０１ｂを有すると共に、本体部１０１の上部に、背面側に折り返した状態の掛止部１０１ｃを有している。環状体１０２には、図１０（ａ）に示す無端の環状体１０２Ａと、図１０（ｂ）に示す自由端部１０２ａ，１０２ａを有する環状体１０２Ｂとがある。
【００６２】
上記の容器展示用ホルダＨ１０にあっても、先の各実施例と同様に、構造体Ｂへの装着が容易であると共に、容器Ｃ１の取り付け及び交換を簡単に行うことができる。
【００６３】
図１１は、本発明に係わる容器展示用ホルダのさらに他の実施例を説明する図である。
【００６４】
図示の容器展示用ホルダＨ１１は、装着具１１１と環状体１１２とを一体的に備えている。装着具１１１は、環状体１１２に連続する水平片１１１ａと、水平片１１１ａの端部から下方に延出する垂直片１１１ｂを有すると共に、垂直片１１１ｂの背面上端に、下向きの鉤状装着部１１１ｃを有している。環状体１１２には、図１１（ａ）に示す無端の環状体１１２Ａと、図１１（ｂ）に示す自由端部１１２ａ，１１２ａを有する環状体１１２Ｂとがある。
【００６５】
上記の容器展示用ホルダＨ１１は、図１１（ｃ）に示すように、構造体Ｂの開口部Ａに鉤状装着部１１１ｃを係止することで同構造体Ｂに装着され、若しくは、図１１（ｄ）に示すように、構造体Ｂの上端部に鉤状装着部１１１ｃを係止することで同構造体Ｂに装着されることとなり、先の各実施例と同様に、構造体Ｂへの装着が容易であると共に、容器Ｃ１の取り付け及び交換を簡単に行うことができる。
【００６６】
図１２は、本発明に係わる容器展示用ホルダのさらに他の実施例を説明する図である。
【００６７】
図示の容器展示用ホルダＨ１２は、装着具１２１と環状体１２２とを一体的に備えている。装着具１２１は、環状体１２２に連続する水平片１２１ａと、水平片１２１ａの端部から下方に延出する垂直片１２１ｂを有すると共に、垂直片１２１ｂの背面上端に、上向きの鉤状装着部１２１ｃを有している。環状体１２２は、自由端部１２２ａ，１２２ａを有するものを図示したが、無端のものとすることもできる。
【００６８】
上記の容器展示用ホルダＨ１２は、構造体Ｂに形成したスリット状の開口部Ａに鉤状装着部１２１ｃを係止すると共に、構造体Ｂの正面に垂直片１２１ｂを当接することで同構造体Ｂに装着されることとなり、先の各実施例と同様に、構造体Ｂへの装着が容易であると共に、容器Ｃ１の取り付け及び交換を簡単に行うことができる。
【００６９】
図１３は、本発明に係わる容器展示用ホルダのさらに他の実施例を説明する図である。
【００７０】
図示の容器展示用ホルダＨ１３は、装着具１３１と環状体１３２とを一体的に備えている。装着具１３１は、環状体１３２に連続する水平片１３１ａと、水平片１３１ａの端部から上方に延出する垂直片１３１ｂを有すると共に、垂直片１３１ｂの背面上端に、上向きの鉤状装着部１３１ｃを有している。環状体１３２は、無端のものを図示したが、自由端部を有するものとすることもできる。
【００７１】
上記の容器展示用ホルダＨ１３は、構造体Ｂに形成したスリット状の開口部Ａに鉤状装着部１３１ｃを係止すると共に、構造体Ｂの正面に垂直片１３１ｂを当接することで同構造体Ｂに装着されることとなり、先の各実施例と同様に、構造体Ｂへの装着が容易であると共に、容器Ｃ１の取り付け及び交換を簡単に行うことができる。
【００７２】
図１４は、本発明に係わる容器展示用ホルダのさらに他の実施例を説明する図である。
【００７３】
図示の容器展示用ホルダＨ１４は、装着具１４１と環状体１４２とを一体的に備えたものであって、図１２に示す上向きの鉤状装着部（１２１ｃ）を一対の上向きのフック１４１ｃに代えたものである。この場合、構造体Ｂの開口部Ａは、スリット状でも良いし、各フック１４１ｃに対応した孔状でも良い。
【００７４】
この容器展示用ホルダＨ１４にあっても、先の各実施例と同様に、構造体Ｂへの装着が容易であると共に、容器Ｃ１の取り付け及び交換を簡単に行うことができる。
【００７５】
図１５は、本発明に係わる容器展示用ホルダのさらに他の実施例を説明する図である。
【００７６】
図示の容器展示用ホルダＨ１５は、装着具１５１と環状体１５２とを一体的に備えたものであって、図１３に示す上向きの鉤状装着部（１３１ｃ）を一対の上向きのフック１５１ｃに代えたものである。この場合、構造体Ｂの開口部Ａは、スリット状でも良いし、各フック１５１ｃに対応した孔状でも良い。
【００７７】
この容器展示用ホルダＨ１５にあっても、先の各実施例と同様に、構造体Ｂへの装着が容易であると共に、容器Ｃ１の取り付け及び交換を簡単に行うことができる。
【００７８】
図１６〜１９は、本発明に係わる容器展示用ホルダのさらに他の実施例を説明する図である。
【００７９】
図１６に示す容器展示用ホルダＨ１６は、装着具１６１と環状体１６２とを備えたものであって、装着具１６１は、本体部１６１ａの上端に、背面側に折り曲げた状態の掛止部１６１ｂを備えている。
【００８０】
環状体１６２は、半円形を成す一対の円弧部材１６２Ａ，１６２Ａから成ると共に、各円弧部材１６２Ａの一端部を装着具１６１への固定端部とし、且つ各円弧部材１６２Ａの他端部を自由端部としている。そして、環状体１６２は、各円弧部材１６２Ａの固定端部と装着具１６１との間に、当該環状体１６２の直径を増減する方向に円弧部材１６２Ａの回動位置を調整する回動調整手段Ｒを備えている。
【００８１】
上記の回動調整手段Ｒとしては、図１７〜１９に示すものがある。図１７に示す容器展示用ホルダＨ１６では、装着具１６１の本体部１６１ａの正面に、連結部１６１ｃが突出状態に設けてあり、この連結部１６１ｃに、上下方向に連通するスプライン孔１６１ｄが形成してある。
【００８２】
これに対して、環状体１６２は、円弧部材１６２Ａの固定端部に連結部１６２ａを有すると共に、連結部１６２ａに、下向きに突出するスプライン軸１６２ｂが設けてあり、このスプライン軸１６２ｂと装着具１６１のスプライン孔１６１ｄとで回動調整手段Ｒを構成している。
【００８３】
ここで、装着具１６１のスプライン孔１６１ｄと、環状体１６２を構成する円弧部材１６２Ａのスプライン軸１６２ｂは、一般的なスプライン機構と同様に軸線方向に係脱可能であり、この係脱を伴って回動調整を行っても良いが、この実施例では、各部材が合成樹脂製であるとともに双方の間のクリアランスが若干大きめに設定してあり、ある程度の力を加えると軸線回りに回動させることが可能である。
【００８４】
上記の容器展示用ホルダＨ１６は、回動調整機構がラチェット機構に類似した動作を行うこととなり、装着具１６１に対して各円弧部材１６２Ａを強制的に回動させることで、両円弧部材１６２Ａ，１６２Ａの間隔が変化し、図１６に示す如く容器Ｃ１の異なる外周寸法に対応することができ、また、先の各実施例と同様に、構造体への装着が容易であると共に、容器Ｃ１の取り付け及び交換を簡単に行うことができる。
【００８５】
図１８に示す容器展示用ホルダＨ１６では、先の実施例と同様に、装着具１６１に、連結部１６１ｃ及びスプライン孔１６１ｄが設けてあると共に、環状体１６２の各円弧部材１６２Ａに、連結部１６２ａ及びスプライン軸１６２ｂが設けてあり、さらに、各円弧部材１６２Ａのスプライン軸１６２ｂに、ピン状のストッパ１６３が設けてあって、スプライン孔１６１ｄ、スプライン軸１６２ｂ及びストッパ１６３で回動調整手段Ｒを構成している。
【００８６】
ストッパ１６３は、スプライン孔１６１ｄに対して回動自在で且つ挿通自在な軸部１６３ａと、抜け止め用の頭部１６３ｂを有しており、スプライン孔１６１ｄに下側から通した状態にして、スプライン軸１６２ｂに同軸状に固定してある。
【００８７】
上記の容器展示用ホルダＨ１６は、図１８（ｂ）に示すように、スプライン孔１６１ｄとスプライン軸１６２ｂとが係合した状態で、各円弧部材１６２Ａの回動が規制され、また、図１８（ｃ）に示すように、スプライン孔１６１ｄからスプライン軸１６２ｂを離脱させた状態で、各円弧部材１６２Ａが回動自在となり、なお且つストッパ１６３により各円弧部材Ａの外れを防止する。
【００８８】
そして、容器展示用ホルダＨ１６は、装着具１６１に対して各円弧部材１６２Ａを回動させることで、両円弧部材１６２Ａ，１６２Ａの間隔が変化し、図１６に示す如く容器Ｃ１の異なる外周寸法に対応することができ、また、先の各実施例と同様に、構造体への装着が容易であると共に、容器Ｃ１の取り付け及び交換を簡単に行うことができる。
【００８９】
図１９に示す容器展示用ホルダＨ１６では、先の実施例に対して、スプライン孔とスプライン軸の位置関係が逆になっている。すなわち、装着具１６１の連結部１６１ｃに、上向きに突出する及びスプライン軸１６１ｅが設けてあると共に、環状体１６２を構成する各円弧部材１６２Ａの連結部１６２ａに、スプライン孔１６２ｃが設けてあり、さらに、装着具１６１のスプライン軸１６１ｅに、ピン状のストッパ１６３が同軸状に設けてあって、スプライン軸１６１ｅ、スプライン孔１６２ｃ及びストッパ１６３で回動調整手段Ｒを構成している。
【００９０】
上記の容器展示用ホルダＨ１６は、図１９（ｂ）に示すように、スプライン軸１６１ｅとスプライン孔１６２ｃとが係合した状態で、各円弧部材１６２Ａの回動が規制され、また、図１９（ｃ）に示すように、スプライン軸１６１ｅからスプライン孔１６２ｃを離脱させた状態で、各円弧部材１６２Ａが回動自在となり、なお且つストッパ１６３により各円弧部材Ａの外れを防止する。
【００９１】
そして、容器展示用ホルダＨ１６は、装着具１６１に対して各円弧部材１６２Ａを回動させることで、両円弧部材１６２Ａ，１６２Ａの間隔が変化し、図１６に示す如く容器Ｃ１の異なる外周寸法に対応することができ、また、先の各実施例と同様に、構造体への装着が容易であると共に、容器Ｃ１の取り付け及び交換を簡単に行うことができる。
【００９２】
なお、本発明に係わる容器展示用ホルダは、その構成の細部が上記各実施例に限定されるものではなく、本発明の要旨を逸脱しない範囲で適宜変更することが可能であって、例えば、上記各実施例で説明した装着具及び環状体の構成を組合わせることもでき、このほか、構造体としては、板状のものだけでなく、例えば桟や格子から成るものでも良い。
【００９３】
また、当該容器展示用ホルダは、主としてＰＯＰ製品として用いるものであるから、例えば図１に示す実施例のように、容器の展示姿勢を変更し得るものがより一層望ましく、このような角度調整機構をそれ以外の実施例に適用することも非常に有効である。
【００９４】
さらに、当該容器展示用ホルダは、車両等の車内に設けられる周知のカップホルダとして用いることも不可能ではないが、上記の角度調整機構などを含むことから、ＰＯＰ製品にきわめて好適である。ＰＯＰ製品では、通常、空の容器を展示するので、当該容器展示用ホルダは、上記の角度調整機構などを含む構成であっても、簡単な構造で容器を充分に保持し、その姿勢を維持することができる。
【図面の簡単な説明】
【００９５】
【図１】本発明の容器展示用ホルダの一実施例を説明する図であって、無端の環状体を示す斜視図（ａ）、自由端部を有する環状体を示す斜視図（ｂ）及び容器の展示状態を示す側面図（ｃ）である。
【図２】本発明の容器展示用ホルダの他の実施例を説明する図であって、無端の環状体を示す斜視図（ａ）、自由端部を有する環状体を示す斜視図（ｂ）及び容器の展示状態を示す側面図（ｃ）である。
【図３】本発明の容器展示用ホルダのさらに他の実施例を説明する図であって、無端の環状体を示す斜視図（ａ）、自由端部を有する環状体を示す斜視図（ｂ）及び容器の展示状態を示す側面図（ｃ）である。
【図４】本発明の容器展示用ホルダのさらに他の実施例を説明する斜視図（ａ）、容器の展示状態を示す側面図（ｂ）及び異なる容器の展示状態を示す側面図（ｃ）である。
【図５】本発明の容器展示用ホルダのさらに他の実施例を説明する斜視図（ａ）、環状体が異なる容器展示用ホルダを示す斜視図（ｂ）及び容器の展示状態を示す側面図（ｃ）である。
【図６】本発明の容器展示用ホルダのさらに他の実施例を説明する斜視図（ａ）、及び容器の展示状態を示す側面図（ｂ）である。
【図７】本発明の容器展示用ホルダのさらに他の実施例を説明する斜視図（ａ）、及び容器の展示状態を示す側面図（ｂ）である。
【図８】本発明の容器展示用ホルダのさらに他の実施例を説明する斜視図（ａ）、及び容器の展示状態を示す側面図（ｂ）である。
【図９】本発明の容器展示用ホルダのさらに他の実施例を説明する斜視図（ａ）、及び容器の展示状態を示す側面図（ｂ）である。
【図１０】本発明の容器展示用ホルダのさらに他の実施例を説明する斜視図（ａ）、環状体が異なる容器展示用ホルダを示す斜視図（ｂ）及び容器の展示状態を示す側面図（ｃ）である。
【図１１】本発明の容器展示用ホルダのさらに他の実施例を説明する斜視図（ａ）、環状体が異なる容器展示用ホルダを示す斜視図（ｂ）、容器の展示状態を示す側面図（ｃ）及び構造体に対する装着位置が異なる場合を示す側面図（ｄ）である。
【図１２】本発明の容器展示用ホルダのさらに他の実施例を説明する斜視図（ａ）、及び容器の展示状態を示す側面図（ｂ）である。
【図１３】本発明の容器展示用ホルダのさらに他の実施例を説明する斜視図（ａ）、及び容器の展示状態を示す側面図（ｂ）である。
【図１４】本発明の容器展示用ホルダのさらに他の実施例を説明する斜視図（ａ）、及び容器の展示状態を示す側面図（ｂ）である。
【図１５】本発明の容器展示用ホルダのさらに他の実施例を説明する斜視図（ａ）、及び容器の展示状態を示す側面図（ｂ）である。
【図１６】本発明の容器展示用ホルダのさらに他の実施例を説明する平面図（ａ）、及び容器の大きさが異なる場合を示す平面図（ｂ）である。
【図１７】図１６に示す容器展示用ホルダにおいて、回動調整手段の一例を示す斜視図（ａ）、係合状態を示す側面図（ｂ）及び係合解除状態を示す側面図（ｃ）である。
【図１８】図１６に示す容器展示用ホルダにおいて、回動調整手段の他の例を示す斜視図（ａ）、係合状態を示す側面図（ｂ）及び係合解除状態を示す側面図（ｃ）である。
【図１９】図１６に示す容器展示用ホルダにおいて、回動調整手段のさらに他の例を示す斜視図（ａ）、係合状態を示す側面図（ｂ）及び係合解除状態を示す側面図（ｃ）である。
【符号の説明】
【００９６】
Ｂ            構造体
Ｃ１  Ｃ２    容器
Ｈ１〜Ｈ１６  容器展示用ホルダ
Ｒ            回動調整手段
１１  ２１  ３１  ４１ ５１  ６１  ７１  ８１  ９１    装着具
１０１  １１１  １２１  １３１  １４１  １５１  １６１  装着具
１２  ２２  ３２  ４２  ５２  ６２  ７２  ８２  ９２    環状体
１０２  １１２  １２２  １３２  １４２  １５２  １６２  環状体
４３          支持部
６１ｂ        係合突起（長さ調整手段）
６２ａ        係合穴（長さ調整手段）
７１ｂ        通し孔（長さ調整手段）
７１ｄ        ラチェット爪（長さ調整手段）
７２ａ        ラチェット歯（長さ調整手段）
８１ｂ        通し溝（長さ調整手段）  
９１ｂ        通し孔（長さ調整手段）
９１ｄ        ラチェット爪（長さ調整手段）
９２ａ        ラチェット歯（長さ調整手段）
１６１ｄ      スプライン孔（回動調整手段）
１６１ｅ      スプライン軸（回動調整手段）
１６２Ａ      円弧部材
１６２ｂ      スプライン軸（回動調整手段）
１６２ｃ      スプライン孔（回動調整手段）
１６３        ストッパ（回動調整手段）
【図１】
2007111147.tif 000003
【図２】
2007111147.tif 000004
【図３】
2007111147.tif 000005
【図４】
2007111147.tif 000006
【図５】
2007111147.tif 000007
【図６】
2007111147.tif 000008
【図７】
2007111147.tif 000009
【図８】
2007111147.tif 000010
【図９】
2007111147.tif 000011
【図１０】
2007111147.tif 000012
【図１１】
2007111147.tif 000013
【図１２】
2007111147.tif 000014
【図１３】
2007111147.tif 000015
【図１４】
2007111147.tif 000016
【図１５】
2007111147.tif 000017
【図１６】
2007111147.tif 000018
【図１７】
2007111147.tif 000019
【図１８】
2007111147.tif 000020
【図１９】
2007111147.tif 000021